(57)【要約】【課題】掃除機本体内部に配線されたリード線の引出しを防止した電気掃除機を提供することを目的とする。【解決手段】集塵部（図示せず）の開口部を覆う開閉自在な集塵部蓋（図示せず）と、前記集塵部蓋（図示せず）を閉止したとき、前記集塵部（図示せず）と前記集塵部蓋（図示せず）とをシールする弾性体９とを備え、前記集塵部（図示せず）の側壁部にリード線を配線する溝部１３を形成し、前記弾性体９で前記溝部１３を覆うとともに、前記リード線１２と前記弾性体９の間にカバー体１４を設けたもので、故意に弾性体９を外しても、リード線１２の上にはカバー体１４が存在するので、溝部１３内に配線されたリード線１２の引出しを防止することができる。【選択図】図１
2005230151.tif 000002
【特許請求の範囲】
【請求項１】
吸引風を発する電動送風機と、前記電動送風機が吸引した塵埃を捕集し開口部を有する集塵部と、前記開口部を覆う開閉自在な集塵部蓋と、前記集塵部蓋を閉止したとき、前記集塵部と前記集塵部蓋とをシールする弾性体とを備え、前記集塵部の側壁部にリード線を配線する溝部を形成し、前記弾性体で前記溝部を覆うとともに、前記リード線と前記弾性体の間にカバー体を設けた電気掃除機。
【請求項２】
カバー体を板状に形成した請求項１記載の電気掃除機。
【請求項３】
カバー体と弾性体の間に空間を設けた請求項１または２記載の電気掃除機。
【請求項４】
カバー体を溝部に係止する係止手段を設けた請求項１〜３のいずれか１項に記載の電気掃除機。
【請求項５】
カバー体に係止部を設け、溝部に前記係止部と係合する被係止部を設けた請求項４記載の電気掃除機。
【請求項６】
カバー体の溝部内での配設位置を規制する規制体を設けた請求項１〜５のいずれか１項に記載の電気掃除機。
【請求項７】
溝部にリード線を保持する保持体を設けた請求項１〜６のいずれか１項に記載の電気掃除機。
【請求項８】
溝部にリード線を保持する保持体を設け、規制体と前記保持体の少なくとも１個所を一体で形成した請求項６記載の電気掃除機。
【請求項９】
カバー体を可視性を有する材料で形成した請求項１〜８のいずれか１項に記載の電気掃除機。
【請求項１０】
吸引風を発する電動送風機と、前記電動送風機が吸引した塵埃を捕集し開口部を有する集塵部と、前記開口部を覆う開閉自在な集塵部蓋と、前記集塵部蓋を閉止したとき、前記集塵部と前記集塵部蓋とをシールする弾性体とを備え、前記集塵部の側壁部にリード線を配線する溝部を形成し、前記弾性体で前記溝部を覆うとともに、前記溝部に配線されたリード線を引掛ける引掛け部を設けた電気掃除機。
【発明の詳細な説明】
【技術分野】
【０００１】
本発明は一般家庭で使用される電気掃除機に関するものである。
【背景技術】
【０００２】
従来の電気掃除機を、図８、図９を用いて説明する。
【０００３】
掃除機本体５１は電動送風機（図示せず）を内蔵する電動送風機室（図示せず）とその前方に配設した集塵室５２で構成されている。掃除機本体５１は、上ケース５２と下ケース５３からなり、上ケース５２には、集塵室５４を覆い回動自在に軸支された集塵部蓋５５が設けられ、下ケース５３には、集塵室５４と集塵部蓋５５をシールする弾性体５６を設け、弾性体５６は衝撃を吸収するクッション部５７と一体にエラストマー等の軟性材で成型されている。
また、電動送風機等の制御を行う回路基板（図示せず）と、ホースの電気接続部と電気的接続を行う接続端子（図示せず）と前記回路基板を結ぶリード線５８を設け、集塵室５４の側壁部に形成した溝部５９内に配線し、弾性体５６で溝部５９とともに覆われていた(例えば、特許文献１参照)。
【特許文献１】特開平５−５６８８０号公報
【発明の開示】
【発明が解決しようとする課題】
【０００４】
しかしながら、前記従来の構成では、故意に弾性体を下ケースから取り外そうとすると、弾性体は軟性材で成型されている為、変形してしまい、取り外すことができるので、溝部に配線されたリード線が露出し、手で触れることができる為、不用意に溝部内から引き出すことができてしまうという課題を有していた。
【０００５】
本発明は上記課題を解決するもので、掃除機本体内部に配線されたリード線の引出しを防止した電気掃除機を提供することを目的とする。
【課題を解決するための手段】
【０００６】
前記従来の課題を解決するために本発明の電気掃除機は、吸引風を発する電動送風機と、前記電動送風機が吸引した塵埃を捕集し開口部を有する集塵部と、前記開口部を覆う開閉自在な集塵部蓋と、前記集塵部蓋を閉止したとき、前記集塵部と前記集塵部蓋とをシールする弾性体とを備え、前記集塵部の側壁部にリード線を配線する溝部を形成し、前記弾性体で前記溝部を覆うとともに、前記リード線と前記弾性体の間にカバー体を設けたもので、故意に弾性体を本体ケースから取り外しても、リード線の上にはカバー体が存在するので、溝部内に配線されたリード線の引出しを防止することができる。
【発明の効果】
【０００７】
本発明の電気掃除機は、掃除機本体内部に配線されたリード線の引出しを防止した電気掃除機を提供できる。
【発明を実施するための最良の形態】
【０００８】
第１の発明は、吸引風を発する電動送風機と、前記電動送風機が吸引した塵埃を捕集し開口部を有する集塵部と、前記開口部を覆う開閉自在な集塵部蓋と、前記集塵部蓋を閉止したとき、前記集塵部と前記集塵部蓋とをシールする弾性体とを備え、前記集塵部の側壁部にリード線を配線する溝部を形成し、前記弾性体で前記溝部を覆うとともに、前記リード線と前記弾性体の間にカバー体を設けたもので、故意に弾性体を本体ケースから外しても、リード線の上にはカバー体が存在するので、溝部内に配線されたリード線の引出しを防止できる。
【０００９】
また、カバー体がリード線を覆っているので、リード線の浮きを防止でき、弾性体を容易に組み立てることができるとともに、溝部を形成する壁内にカバー体が位置するので、溝部を補強することができる。
【００１０】
第２の発明は、カバー体を板状に形成したもので、容易に且つ安価に製作できるとともに、容易にたわむので、容易にカバー体を溝部へ組み立てることができる。
【００１１】
第３の発明は、カバー体と弾性体の間に空間を設けたもので、弾性体の上から力が加わって弾性体が歪んでも空間内で収まり、カバー体に力が加わらないので、カバー体の破損やズレを防止することができる。
【００１２】
第４及び５の発明は、カバー体を溝部に係止する係止手段を設ける、いわゆるカバー体に係止部を設け、溝部に前記係止部と係合する被係止部を設けたもので、弾性体を故意に取り外した時、カバー体は、溝部の壁にほぼ隙間なく係合しているので、カバー体の取り外しを防止できるとともに、ズレや抜けを防止することができる。
【００１３】
第６の発明は、カバー体の溝部内での配設位置を規制する規制体を設けたもので、カバー体の組み立て時に押さえすぎても規制体より奥に落ち込まず、リード線に力が加わらないので、リード線を保護することができる。
【００１４】
第７の発明は、溝部にリード線を保持する保持体を設けたもので、カバー体を組み立てる前にリード線を溝部内に保持するので、リード線の浮きを防止でき、カバー体を容易に組み立てることができる。
【００１５】
第８の発明は、溝部にリード線を保持する保持体を設け、規制体と前記保持体の少なくとも１個所を一体で形成したもので、溝部内の形状を簡単に形成できるので、金型を容易に製作できる。
【００１６】
第９の発明は、カバー体を可視性を有する材料で形成したもので、カバー体を組み立てた後でも溝部内が見えるので、容易にリード線等の組立状態を確認することができる。
【００１７】
第１０の発明は、吸引風を発する電動送風機と、前記電動送風機が吸引した塵埃を捕集し開口部を有する集塵部と、前記開口部を覆う開閉自在な集塵部蓋と、前記集塵部蓋を閉止したとき、前記集塵部と前記集塵部蓋とをシールする弾性体とを備え、前記集塵部の側壁部にリード線を配線する溝部を形成し、前記弾性体で前記溝部を覆うとともに、前記溝部に配線されたリード線を引掛ける引掛け部を設けたもので、故意に弾性体を本体ケースから外しても、リード線は引掛け部にしっかり保持されているので、溝部内に配線されたリード線の引出しを防止できる。
【００１８】
以下、本発明の実施の形態について、図面を参照しながら説明する。なお、この実施の形態によりこの発明が限定されるものではない。
【００１９】
（実施の形態１）
本発明の第１の実施の形態について、図１〜図５を用いて説明する。
【００２０】
掃除機本体１は、上ケース２と下ケース３からなり、吸引風を発する電動送風機（図示せず）と、前記電動送風機が吸引した塵埃を捕集し開口を有する集塵部４と、前記集塵部４の開口を覆い回動自在に上ケース２に軸支した集塵部蓋５と、前記上ケース２に使用者が持ち運び時に握る把手部６を掃除機本体１の前後方向に対し横向きに設けている。
【００２１】
集塵部４は、集塵部蓋５に形成された壁体ａ７と下ケース３に形成された壁体ｂ８とに囲まれて構成されており、前記壁体ｂ８にはエラストマー等の軟性材で成型された弾性体９を備え、集塵部蓋５を閉じた時に前記壁体ａ７と圧接するように設け、集塵部４を密閉している。弾性体９は、外部からの衝撃を吸収するクッション部１０を備えている。
【００２２】
また、電動送風機等の制御を行う回路基板１１と、ホースの電気接続部と電気的接続を行う接続端子（図示せず）と前記回路基板１１を結ぶリード線１２を設け、下ケース３に形成された壁体ｂ８の側壁に形成した溝部１３内に配線している。
【００２３】
さらに、溝部１３内のリード線１２を覆うように、カバー体１４を板状に且つ溝部１３内壁とほぼ隙間のない形状で形成し、弾性体９で前記溝部１３とともに覆われている。この時、カバー体１４と弾性体９の間には空間を設けている。
【００２４】
前記溝部１３の内部には、前記リード線１２を保持する保持体１５を複数形成するとともに、前記カバー体１４が落ち込まないように規制する規制体１６を溝部１３の底面からリード線１２を上下に重ねた高さより高い位置に規制体１６の上面が位置するよう溝部１３内壁に複数形成している。少なくとも１箇所は、前記保持体１５と前記規制体１６が一体に形成されている。
【００２５】
また、前記カバー体１４には溝部１３内壁と嵌合する係止部１７を凸状にして複数箇所設け、溝部１３内壁には前記規制体１６より上方に前記係止部１７と係合する被係止部１８を凹状にして形成している。前記カバー体１４は、可視性を有する材料により形成されている。
【００２６】
以上のように構成された電気掃除機について、以下その動作、作用を説明する。
【００２７】
まず、故意に弾性体９を下ケース３から外しても、リード線１２の上にはカバー体１４が存在するので、溝部１３内に配線されたリード線１２の引出しを防止でき、カバー体１４は、溝部１３の壁にほぼ隙間なく複数箇所で係合しているので、カバー体１４の取り外しを防止できるとともに、ズレや抜けを防止することができる。
【００２８】
また、カバー体１４を組み立てる前にリード線１２を溝部１３内に保持しているので、リード線１２の浮きを防止でき、カバー体１４を容易に組み立てることができるとともに、カバー体１４の組み立て時に押さえすぎても規制体１６より奥に落ち込まず、リード線１２に力が加わらないので、リード線１２を保護することができる。
【００２９】
カバー体１４がリード線１２を覆っているので、リード線１２が保持体１５から浮いたとしても弾性体９を容易に組み立てることができるとともに、溝部１３を形成する壁内にカバー体１４が位置するので、溝部１３を補強することができる。
【００３０】
また、カバー体１４を板状に形成しているので容易に且つ安価に製作できるとともに、容易にたわむので、容易にカバー体１４を溝部１３へ組み立てることができる。
【００３１】
さらに、カバー体１４と弾性体９の間には空間を設けている為、弾性体９の上から力が加わって弾性体９が歪んでも空間内で収まり、カバー体１４に力が加わらないので、カバー体１４の破損やズレを防止することができる。
【００３２】
さらに、少なくとも１箇所は、前記保持体１５と前記規制体１６が一体に形成されている為、溝部１３内の形状を簡単に形成できるので、金型を容易に製作できる。
【００３３】
カバー体１４は、可視性を有する材料により形成されている為、カバー体１４を組み立てた後でも溝部１３内が見えるので、容易にリード線１２等の組立状態を確認することができる。
【００３４】
なお、本発明の形態では、係止手段として凹凸の嵌合方式で構成しているが、爪嵌合等で構成しても、同じ効果が得られるのは言うまでもない。
また、カバー体１４を透明な一部品で形成しているが、部分的に透明にしたり、複数の部品によりカバー体１４を構成しても、同じ効果が得られるのは言うまでもない。
【００３５】
（実施の形態２）
本発明の第２の実施の形態について図６、７をもとに説明する。なお、上記実施の形態と同一部分については同一符号を付してその説明を省略する。
【００３６】
溝部１３の内部には、リード線１２を引掛ける引掛け部１９を金型の食いきり構造で形成している。
【００３７】
以上のように構成された電気掃除機について、以下その動作、作用を説明する。
故意に弾性体９を下ケース３から外しても、リード線１２は引掛け部１９にしっかり保持されているので、溝部１３内に配線されたリード線１２の引出しを防止できる。
なお、本発明の形態では、引掛け部１９を金型の食いきり構造で構成しているが、スライドコア金型を使用して構成しても、同じ効果が得られるのは言うまでもない。
【産業上の利用可能性】
【００３８】
以上のように、本発明にかかる電気掃除機は、掃除機本体内部に配線されたリード線の引出しを防止することが可能となるので、軟性材で形成した部品の内側でリード線を配線した電気掃除機などに極めて有用なものである。
【図面の簡単な説明】
【００３９】
【図１】本発明の実施の形態１における電気掃除機の要部断面図
【図２】同電気掃除機の集塵部蓋が開いた状態を示す全体斜視図
【図３】同電気掃除機の上ケースと弾性体を外した状態を示す平面図
【図４】図３の要部拡大図
【図５】同電気掃除機のカバー体を示す全体斜視図
【図６】本発明の実施の形態２における電気掃除機の要部断面図
【図７】同電気掃除機の上ケースと弾性体を外した状態を示す要部平面図
【図８】従来の電気掃除機の要部断面図
【図９】同電気掃除機の集塵部蓋が開いた状態を示す全体斜視図
【符号の説明】
【００４０】
１  掃除機本体
４  集塵部
５  集塵部蓋
６  アタッチメント
９  弾性体
１２  リード線
１３  溝部
１４  カバー体
１５  保持体
１６  規制体
１７  係止部
１８  被係止部
１９  引掛け部
【図１】
2005230151.tif 000003
【図２】
2005230151.tif 000004
【図３】
2005230151.tif 000005
【図４】
2005230151.tif 000006
【図５】
2005230151.tif 000007
【図６】
2005230151.tif 000008
【図７】
2005230151.tif 000009
【図８】
2005230151.tif 000010
【図９】
2005230151.tif 000011